(57)【特許請求の範囲】
【請求項１】
軸筒に配設したクリップをスライドすることにより、筆記体の筆記先端部を軸筒の先端開口部より突出可能とする出没機構を有した筆記具において、前記軸筒の後端部に、長手方向に伸び、後端を開口した摺動溝を形成し、前記摺動溝にクリップの脚部を、前記摺動溝に摺動可能に配設するとともに、前記軸筒の後端部に、前記摺動溝に設けた被係合部と頭冠に設けた係合部を係合して、頭冠を装着してなり、前記摺動溝が、周方向の異なる位置に複数本、形成され、前記クリップの脚部及び頭冠の係合部が、前記摺動溝に対応して複数本、形成してあることを特徴とする筆記具。
【発明の詳細な説明】
【技術分野】
【０００１】
本発明は、軸筒に配設したクリップをスライドすることにより、筆記体の筆記先端部を軸筒の先端開口部より突出可能とする繰出機構を有した筆記具に関する。
【背景技術】
【０００２】
従来、軸筒の後端部に頭冠を装着した筆記具はよく知られている。こうした筆記具においては、実開昭５６−１６０８８８号公報「筆記具のクリップ装置」に開示のように、尾栓は、軸筒後端部内に圧入装着することが一般的であった。
【０００３】
また、軸筒に配設したクリップをスライドすることにより、筆記体の筆記先端部を軸筒の先端開口部より突出可能とする繰出機構を有した筆記具もよく知れていて、実開平４−７９６８８号公報「ノック式筆記具」等に開示されている。
【先行技術文献】
【特許文献】
【０００４】
【特許文献１】実開昭５６−１６０８８８号公報
【特許文献２】実開平４−７９６８８号公報
【発明の概要】
【発明が解決しようとする課題】
【０００５】
しかし、特許文献２において、特許文献１のように、軸筒後端部に頭冠を圧入装着すると、軸筒後端部の内径が大きくなることがあり、出没機構に支障をきたす恐れがあった。こうした問題を鑑みて、圧入するラップ量を少なくすると、頭冠が外れやすくなる問題を抱えていた。
【０００６】
また、特許文献２のように、摺動溝にクリップの脚部を摺動自在に配設した構造では、経時などによって、摺動溝の溝幅が変化する恐れがあり、特に溝幅が狭まると、出没作動に影響を及ぼす問題があった。
【０００７】
本発明はこれらの従来技術に鑑みてなされたものであって、組立性が良好で、且つ安定した出没作動が得られる、軸筒後端部に頭冠を装着した筆記具を簡単な構造で提供することにある。
【課題を解決するための手段】
【０００８】
本発明は、前記問題を解決するために、軸筒に配設したクリップをスライドすることにより、筆記体の筆記先端部を軸筒の先端開口部より突出可能とする出没機構を有した筆記具において、前記軸筒の後端部に、周方向の異なる位置に、長手方向に伸び、後端を開口した摺動溝を複数本、形成し、前記摺動溝に対応したクリップの脚部を、前記摺動溝に摺動可能に配設するとともに、前記軸筒の後端部に、前記摺動溝に設けた被係合部に、頭冠に設けた係合部を係合して装着したことを特徴とする。
【０００９】
また、前記摺動溝が、周方向の異なる位置に複数本、形成してあり、前記クリップの脚部及び頭冠の係合部が、前記摺動溝に対応して複数本、形成してあることを特徴とする。
【００１０】
本願発明の第１の構成によれば、軸筒に配設したクリップをスライドすることにより、筆記体の筆記先端部を軸筒の先端開口部より突出可能とする出没機構を有した筆記具において、前記軸筒の後端部に、周方向の異なる位置に、長手方向に伸び、後端を開口した摺動溝を複数本、形成し、前記摺動溝に対応したクリップの脚部を、前記摺動溝に摺動可能に配設するとともに、前記軸筒の後端部に、前記摺動溝に設けた被係合部に、頭冠に設けた係合部を係合して装着してあるため、経時などによって、摺動溝の溝幅が小さくなることを抑制し、クリップの脚部によって、安定した出没作動を得ることができる。
【００１１】
本願発明の第２の構成によれば、前記摺動溝が、周方向の異なる位置に複数本、形成してあり、前記クリップの脚部及び頭冠の係合部が、前記摺動溝に対応して複数本、形成してあるため、クリップのスライドを安定するとともに、頭冠の回転を効果的に抑制して、頭冠の外れを防止することができる。
【００１２】
また、本発明のクリップには、ステンレス鋼、銅合金、アルミニウム等の金属材料やＰＣ樹脂、ＰＰ樹脂、ＡＳ樹脂等の樹脂材料など、筆記具のクリップとして一般的に知られている材料のなかから適宜選定すればよい。
【発明の効果】
【００１３】
本発明は、組立性が良好で、且つ安定した出没作動が得られる、軸筒後端部に頭冠を装着した筆記具を簡単な構造で提供することができた。
【図面の簡単な説明】
【００１４】
【図１】実施例１の出没式筆記具を示す縦断面図である。
【図２】図１における筆記先端部を突出した状態を示す縦断面図である。
【図３】図１における一部省略した要部拡大断面図である。
【図４】図１におけるクリップを省略した上面図である。
【図５】図４におけるＡ−Ａ断面図である。
【発明を実施するための形態】
【００１５】
次に図面を参照しながら、本発明の筆記具の軸筒の実施例を説明するが、本発明は以下の実施形態に限定されるものではない。
【００１６】
実施例１
図１から図５に示す実施例１の筆記具１は、前軸２と後軸３を螺着して軸筒本体を構成し、後軸２の内壁面には、軸心方向に沿って延びた深さが深いカム溝（図示せず）と浅いカム溝（図示せず）とを交互に形成したカム溝（図示せず）を形成してある。また、クリップ９を前軸２側にスライドすると、クリップ９と連動して回転カム５、押し棒６、摺動部材７が前軸２側に移動し、回転カム５による出没機構が作動して、筆記体１１の筆記先端１３を、前軸２に螺着した口先部材４の先端開口部４Ａからの突出を維持することができる。また、前軸２には外筒１６を嵌着してある。
【００１７】
具体的には、後軸３の側壁後部に長手方向に伸びた摺動溝３Ａを周方向の異なる位置に、並列して形成する。また、クリップ９は、先端部下側に玉部９Ａを突出させるとともに、後端部下側に脚部９Ｃを並列に形成する。この脚部９Ｃの両側壁部に互いに対向する連結孔９Ｄが形成される。
【００１８】
この二つのクリップ９の脚部９Ｃを後軸３の後端開口部から摺動溝３Ａに挿入し、摺動部材７の２つの片に形成した円柱形の隆起部７Ｃにクリップ９の脚部９Ｃに形成した連結孔９Ｄを嵌め込んで、隆起部７Ｃを連結孔９Ｄに回動自在に取り付けた連結部Ｒとしてある。更に、摺動部材７の棒状突起７Ｂにコイルスプリング１５を挿入し、このコイルスプリング１５をクリップ９の脚部９Ｃと摺動部材７との間に取付荷重（弾発力）８５０ｇで取り付け、通常クリップ９の脚部９Ｃ下側を後方に付勢することによって摺動部材７の隆起部７Ｃを軸にしてクリップ９の先端部が下方に押され、クリップ９の玉部９Ａが後軸３の表面に押し付けられて閉じられる。
【００１９】
また、摺動溝３Ａは後軸３後端が開口して延びており、この後軸３後端の開口部から、頭冠８に並列して設けた突起８Ａを挿入し、摺動溝３Ａに設けた窓幅を小さくする突部３Ａａを乗り越し嵌合によって装着してある。また、後軸３内の壁面には、後軸３後端が開口して長手方向に延びる凹部３Ｃを設けてあり、頭冠８に設けた凸部８Ｂを後軸３内の凹部３Ｃに挿通してある。尚、摺動溝３Ａと頭冠８は、略面一状となるように係合してある。
【００２０】
次に、出没機構の動作について詳述すると、筆記体１１は回転カム５内に圧入保持されており、筆記体１１の筆記先端部１３が口先部材４の開口部４Ａ内に没入した状態からクリップ９を前軸２側にスライドすることにより、クリップ９に連動して、摺動部材７が連動し、摺動部材７に連動して押し棒６はカム溝に係合した突起６Ａに導かれて前軸２方向に移動する。また、押し棒６に連接した回転カム５も深いカム溝に係合したカム突起５Ａに導かれて前進する。カム突起５Ａが深いカム溝の先端に達してカム溝から離脱すると、押し棒６の凹凸部の頂部及び後軸３内に固着したバネ受け部材１０によって、コイルスプリングからなる弾発部材１４により後方へ付勢された回転カム５は回転して浅いカム溝に後退する。それに伴い、回転カム５及び筆記体１１はそれ以上後退することができず、筆記体１１の筆記先端部１３は、口先部材４の先端開口部４Ａより突出した状態で維持することができ、再度、クリップ９を前軸２方向に押圧すると、筆記体１１の筆記先端部１３を口先部材４の先端開口部４Ａ内に没入することができる、従来から知られている回転カムによる出没機構である。尚、弾発部材１４の取付荷重（弾発力）は２５０ｇであった。
【００２１】
摺動部材７の先端部には、前方に向かって突出する棒状突起７Ａを設けてあり、この棒状突起７Ａには、外径を大きくした先端側突部７Ａａと、先端側突部７Ａａよりも外径の大きい後端側突部７Ｂｂとを長手方向で離間して設けてある。
【００２２】
また、摺動部材７の棒状突起７Ａの先端側突部７Ａａと後端側突部７Ａｂ間に、回転カム５に設けた環状突起５Ｂを係合し、回転カム５が摺動部材７に対し回転及び前後動可能に係合してあり、さらに、摺動部材７の棒状突起７Ａの先端側突部７Ａａが回転カム５の前方側への移動を規制し、摺動部材７の棒状突起７Ａの後端側突部７Ａｂが回転カム５の後方側への移動を規制してある。また、摺動部材７の棒状突起７Ａの後端側突部７Ａｂ後方と摺動部材７の壁面７Ｄ間に、押し棒６に設けた環状突起６Ｂを係合し、押し棒６が摺動部材７に対し回転可能、摺動部材７の棒状突起７Ａの後端側突部７Ａｂが押し棒６の前方側への移動を規制し、また、摺動部材７の壁面７Ｄが押し棒６の後方への移動を規制してある。
【００２３】
そのため、筆記体１１の筆記先端部１３が口先部材４の先端開口部４Ａから突出した状態では、回転カム５の環状突起５Ｂと摺動部材７の棒状突起７Ａの先端側突部７Ａａによって、摺動部材７の後方への移動を規制するので、クリップ９のガタツキを抑制することができる。
【００２４】
また、筆記体１１の筆記先端部１３が口先部材４の先端開口部４Ａ内に没入した状態では、押し棒６は後軸３内に設けた内方突部３Ｂによって後方への移動を規制され、押し棒６の環状突起６Ｂによって、摺動部材７の後方への移動を規制するので、クリップ９の脚部９Ｃは頭冠８及び後軸３とは当接していないので、クリップ９のガタツキを抑制し、頭冠８の外れを防止することができる。
【００２５】
次にクリップ９の開閉操作を説明すると、クリップ９の先端部の玉部９Ａが閉じた状態からクリップ９の後端部９Ｂを下方に押圧すると、摺動部材７の隆起部Ｂを軸にしてクリップ９の先端部の玉部９Ａが上方に開くとともにクリップ９の脚部９Ｃ下側でコイルスプリング１５を圧縮した状態となる。また、クリップ９の後端部９Ｂの押圧を止めればコイルスプリング１５に押されてクリップ９の先端部の玉部９Ａが閉じられ元の状態に復帰する。
【００２６】
筆記体１１は、ボールペンレフィルであり、インキ収容筒の先端部に、ボールが回転可能に抱持された筆記先端部１３を、チップホルダー１２を介して装着し、インキ収容筒の内部には、黒色の剪断減粘性を有する水性ゲルインキ及びインキ追従体（図示せず）を直に収容してある。
【００２７】
尚、本実施例では、回転カムによる出没機構を例示しているが、クリップをスライドして筆記体の筆記先端部を突出可能な出没機構であれば、出没機構は特に限定されるものではない。また、図示はしていないが、頭冠に、消しゴムや摩擦部材などの付設部を一体又は着脱自在に設けることができる。
【産業上の利用可能性】
【００２８】
本発明の筆記具は、ボールペンに限定されるものではなく、種々の筆記具に利用できるものである。
【符号の説明】
【００２９】
１  筆記具
２  前軸
３  後軸
３Ａ  摺動溝
３Ａａ  突部
３Ｂ  内側段部
４  口先部材
４Ａ  先端開口部
５  回転カム
５Ａ  カム突起
５Ｂ  環状突起
６  押し棒
６Ａ  突起
６Ｂ  環状突起
７  摺動部材
７Ａ  棒状突起
７Ａａ  前方突起
７Ａｂ  後方突起
７Ｂ  隆起部
７Ｃ  係合部
７Ｄ  壁面
８  頭冠
８Ａ  突起
９  クリップ
９Ａ  玉部
９Ｂ  後端部
９Ｃ  脚部
９Ｄ  連結孔
１１  筆記体
１３  筆記先端部
１４  弾発部材
１５  コイルスプリング
【図１】
0005951221.tif 000002
【図２】
0005951221.tif 000003
【図３】
0005951221.tif 000004
【図４】
0005951221.tif 000005
【図５】
0005951221.tif 000006